(57)【特許請求の範囲】
【請求項１】
棹石（２０）、上台石（３０）、中台石（４０）、芝石（５０）から構成され、棹石（２０）及び上台石（３０）は中実の石材が用いられ、上記上台石（３０）の上には上記棹石（２０）が搭載される一方、
上記中台石（４０）は相互に平行に配設された同じ高さの２枚の矩形状の長尺厚板石（４１）の後端の間に、長尺厚板石（４１）と同じ高さの１枚の矩形状の短尺厚板石（４２）が挟み込まれて設けられ、隣接する長尺厚板石（４１）内面と短尺厚板石（４２）内面の間が上下に間隔をあけて配設されたＬ型金具（８０）とアンカーボルト（８１）によって連結されて中台腰板（４０Ａ）が構成され、該中台腰板（４０Ａ）の上面開口が蓋石（４０Ｂ）で封鎖され、上記中台蓋石（４０Ｂ）の上に上記上台石（３０）が搭載され、上記中台腰板（４０Ａ）内に納骨室（７０）が構成されるとともに、左右の長尺厚板石（４１）の前端の間が納骨口（７１）となっており、
上記中台石（４０）の前方に板状の芝石（５０）が設置され、該芝石（５０）上に水鉢（６０）・花立（６１）が載せられて上記納骨口（７１）が封鎖されていることを特徴とする墓石。
【請求項２】
棹石（２０）、上台石（３０）、中台石（４０）、芝石（５０）から構成され、上記棹石（２０）には中実の石材が用いられ、上記上台石（３０）は、相互に平行に配設された同じ高さの２枚の矩形状の長尺厚板石（３１）又は短尺厚板石の前後両端の間に、長尺厚板石（３１）又は短尺厚板石と同じ高さの２枚の矩形状の短尺厚板石（３２）又は長尺厚板石が挟み込まれて設けられ、隣接する長尺厚板石（３１）内面と短尺厚板石（３２）内面の間が上下に間隔をあけて配設されたＬ型金具（８０）とアンカーボルト（８１）によって連結されて上台腰板（３０Ａ）が構成され、該上台腰板（３０Ａ）の上面開口が蓋石（３０Ｂ）で封鎖され、該上台蓋石（３０Ｂ）の上には上記棹石（２０）が搭載される一方、
上記中台石（４０）は同じ高さの２枚の矩形状の長尺厚板石（４１）の後端の間に、長尺厚板石（４１）と同じ高さの１枚の矩形状の短尺厚板石（４２）が挟み込まれて設けられ、隣接する長尺厚板石（４１）内面と短尺厚板石（４２）内面の間が上下に間隔をあけて配設されたＬ型金具（８０）とアンカーボルト（８１）によって連結されて中台腰板（４０Ａ）が構成され、該中台腰板（４０Ａ）の上面開口が蓋石（４０Ｂ）で封鎖され、上記中台蓋石（４０Ｂ）の上に上記上台石（３０）が搭載され、上記中台腰板（４０Ｂ）の間に納骨室（７０）が構成されるとともに、左右の長尺厚板石（４１）の前端の間が納骨口（７１）となっており、
上記中台石（４０）の前方に板状の芝石（５０）が設置され、該芝石（５０）上に水鉢（６０）・花立（６１）が載せられて上記納骨口（７１）が封鎖されていることを特徴とする墓石。
【請求項３】
上記上台石（３０）の前側短尺厚板石（３２）又は前側長尺厚板石には下側部分が切り欠かれて通気口（３２Ａ）が形成され、上記水鉢（６０）・花立（６１）によって封鎖されている請求項２記載の墓石。
【発明の詳細な説明】
【技術分野】
【０００１】
この発明は墓石に関し、特に大きな原石を必要としていた中台石を安価に製造できるようにした墓石に関する。
【背景技術】
【０００２】
例えば、墓石では下台石、中台石、上台石、棹石が順に積まれ、下台石の内部に中空の納骨室が形成され、中台石には納骨口が納骨室に連続するように加工され、水鉢・花立が下台石上に立設されて中台石の納骨口を塞ぐような構造が多く、墓石の構造上、中台石の製作に最も大きな原石を必要とする。
【０００３】
ところで、墓石の製作には一枚岩の原石を使用していたが、大きくかつ模様の見栄えがよい一枚岩の入手が困難になって墓石の高コスト化を招来している。
【０００４】
これに対し、両側を斜めに切断した４枚の薄い平板石を組み合わせ、平板石の両側の傾斜面を相互に接着して棹石、上台、中台を形成し、棹石の上面開口を上蓋で塞ぐようにした墓石が提案されている（特許文献１）。
【先行技術文献】
【特許文献】
【０００５】
特開２００３−２３９５６９号公報
【発明の開示】
【発明が解決しようとする課題】
【０００６】
しかし、特許文献１記載の墓石では強度を確保するためには４枚の平板石を係止突起と係止穴との嵌合によって連結するか、対向する平板を連結具で連結するか、内部にコンクリートを打設するなどの対応を必要としていた。
また、中台石には下台石の納骨室に連通する納骨口を形成するが、中台石の１枚の薄い平板石に納骨口を形成すると、４枚の平板石のバランスが崩れやすく、中台石の上には上台石や棹石を載せる必要があって強度的に十分に大きな納骨口を形成することが難しかった。
【０００７】
本発明はかかる問題点に鑑み、大きな原石を必要とする中台石を安価に製作できるようにした墓石を提供することを課題とする。
【課題を解決するための手段】
【０００８】
そこで、本発明に係る墓石は、棹石、上台石、中台石、芝石から構成され、棹石及び上台石は中実の石材が用いられ、上記上台石の上には上記棹石が搭載される一方、上記中台石は同じ高さの２枚の矩形状の長尺厚板石又は短尺厚板石の後端の間に、長尺厚板石又は短尺厚板石と同じ高さの１枚の矩形状の短尺厚板石又は長尺厚板石が設けられ、隣接する長尺厚板石と短尺厚板石の間がＬ型金具とアンカーボルトによって連結されて中台腰板が構成され、該中台腰板の上面開口が蓋石で封鎖され、上記中台腰板内に納骨室が構成されるとともに、左右の長尺厚板石又は短尺厚板石の前端の間が納骨口となっており、上記中台蓋石の上に上記上台石が搭載され、又上記中台石の前方に芝石が設置され、該芝石上に水鉢及び左右の花立が載せられて上記納骨口が封鎖されていることを特徴とする。
【０００９】
本発明の特徴の１つは墓石の構成品の中で最も大きい中台石を２枚の矩形状の長尺厚板石又は短尺厚板石の後端の間に１枚の矩形状の短尺厚板石又は長尺厚板石を設け、隣接する長尺厚板石と短尺厚板石をＬ型金具とアンカーボルトによって連結して中台腰板を構成し、中台腰板の上面開口を蓋石で封鎖して中台腰板内に納骨室を構成するようにした点にある。
【００１０】
これにより、中台石を一枚岩で製作する場合に比較して、大きくかつ模様の見栄えがよい一枚岩を必要とせず、比較的小さな原石を用いることができ、製作の低コスト化を実現できる。特に、表面に疵がある場合にも疵のある面を納骨室の側に向ければよく、製作の歩留りを大幅に向上できる。
【００１１】
また、設置現場に厚板石を運んで現場で組立てればよく、大きくて重い中台石を現場に運んで設置する必要がないので、作業者の負担を少なくでき、これによっても製作の低コスト化を実現できる。
【００１２】
さらに、本発明の第２の特徴は厚板石製中台腰板の上面開口を蓋石で封鎖し、蓋石の上に上台石を搭載するようにした点にある。これにより、中台石が中空構造であるにもかかわらず、中台石の十分な強度を確保することができ、墓石の信頼性を保証できる。
【００１３】
また、本発明の第３の特徴は隣接する矩形状厚板石の間をＬ型金具とアンカーボルトによって連結するようにした点にある。これにより、中台腰板は強固に製作され、地震などの揺れによって倒壊するおそれがなく、信頼性が高い。
【００１４】
さらに、本発明の第４の特徴は中台石の前方に、水鉢・花立を載せる芝石を設置するようにした点にある。これにより、大きな芝石を必要とせず、製作の低コスト化を実現できる。
【００１５】
上記では上台石に中実の石材を用いるようにしたが、中台石の同様の構造とすることもできる。
【００１６】
即ち、本発明に係る墓石は、棹石、上台石、中台石、芝石から構成され、上記棹石には中実の製材が用いられ、上記上台石は、同じ高さの２枚の矩形状の長尺厚板石又は短尺厚板石の前後両端の間に、長尺厚板石又は短尺厚板石と同じ高さの２枚の矩形状の短尺厚板石又は長尺厚板石が設けられ、隣接する長尺厚板石と短尺厚板石の間がＬ型金具とアンカーボルトによって連結されて上台腰板が構成され、該上台腰板の上面開口が蓋石で封鎖され、該上台蓋板の上には上記棹石が搭載される一方、上記中台石は同じ高さの２枚の矩形状の長尺厚板石又は短尺厚板石の後端の間に、長尺厚板石又は短尺厚板石と同じ高さの１枚の矩形状の短尺厚板石又は長尺厚板石が設けられ、隣接する長尺厚板石と短尺厚板石の間がＬ型金具とアンカーボルトによって連結されて中台腰板が構成され、該中台腰板の上面開口が蓋石で封鎖され、上記中台蓋石の上に上記上台石が搭載され、上記中台腰板の間に納骨室が構成されるとともに、左右の長尺厚板石又は短尺厚板石の前端の間が納骨口となっており、上記中台石の前方に板状の芝石が設置され、該芝石上に水鉢・花立が載せられて上記納骨口が封鎖されていることを特徴とする。
【００１７】
上台腰板の内部は密閉構造としてもよいが、夏期や冬期の気温の変化に対応できるように通気口を形成するのがよい。すなわち、上台石の前側短尺厚板石又は前側長尺厚板石には下側部分が切り欠かれて通気口が形成され、水鉢・花立によって封鎖されるようにするのがよい。
【００１８】
ここで、中台石及び／又は上台石については、長尺厚板石を左右に相互に平行に並べ、その前端又は後端の間に短尺厚板石を介在させるようにしてもよく、又前端又は後端に接するように短尺厚板石を並べるようにしてもよく、又短尺厚板石を左右に相互に平行に並べ、その前端又は後端の間に長尺厚板石を介在させるようにしてもよく、又前端又は後端に接するように長尺厚板石を並べるようにしてもよい。
【図面の簡単な説明】
【００１９】
【図１】本発明に係る墓石の好ましい実施形態の全体形状を示す斜視図である。
【図２】上記実施形態における上台腰板の平面形状（ａ）及び正面形状（ｂ）を示す図である。
【図３】上記実施形態における上台蓋石の平面形状（ａ）及び正面形状（ｂ）を示す図である。
【図４】上記実施形態における中台腰板の平面形状（ａ）及び正面形状（ｂ）を示す図である。
【図５】上記実施形態における中台蓋石の平面形状（ａ）及び正面形状（ｂ）を示す図である。
【図６】上記実施形態におけるＬ型金具（ａ）及びアンカーボルト（ｂ）を示す図である。
【図７】第２の実施形態における上台腰板の平面形状（ａ）及び正面形状（ｂ）を示す図である。
【図８】第３の実施形態の全体形状を示す斜視図である。
【発明を実施するための形態】
【００２０】
以下、本発明を図面に示す具体例に基づいて詳細に説明する。図１ないし図６は本発明に係る墓石の好ましい実施形態を示す。墓石１０は棹石２０、上台石３０、中台石４０及び芝石５０から構成されている。
【００２１】
棹石２０は大理石などを用いて中実の四角柱状に製作され、正面には「○○家の墓」「先祖代々の墓」「戒名」などの文字が刻設され、背面には墓を造った人の名前や年月日などが刻設されるようになっている。
【００２２】
上台石３０は上台腰板３０Ａと上台蓋石３０Ｂとから構成され、上台腰板３０Ａの上面は上台蓋石３０Ｂによって封鎖され、上台蓋石３０Ｂの上には棹石２０が搭載されている。上台腰板３０Ａは２枚の長尺厚板石３１と２枚の短尺厚板石３２とから製作され、長尺厚板石３１と短尺厚板石３２とは大理石などを用いて同一の高さの矩形状に加工されている。
【００２３】
２枚の長尺厚板石３１は左右に相互に平行に並べられ、長尺厚板石３１の前端の間及び後端の間には短尺厚板石３２が挟み込まれるように介設され、隣接する長尺厚板石３１と短尺厚板石３２の間、即ち長尺厚板石３１と短尺厚板石３２によって形成される四角形の四隅は上下に間隔をあけて設けられたＬ型金具８０とアンカーボルト８１によって連結され、これによって上台腰板３０Ａが構成されている。また、前側の短尺厚板石３２の下半部は矩形状に切り欠かれて通気口３２Ａが形成されている。
【００２４】
他方、中台石４０は中台腰板４０Ａと中台蓋石４０Ｂとから構成され、中台腰板４０Ａの上面は中台蓋石４０Ｂによって封鎖され、中台蓋石４０Ｂの上にはを上台石３０が搭載されている。中台腰板４０Ａは２枚の長尺厚板石４１と２枚の短尺厚板石４２とから製作され、長尺厚板石４１と短尺厚板石４２とは大理石などを用いて相互に同一の高さで、かつ上台腰板３０Ａの長尺厚板石３１と短尺厚板石３２よりも長尺の矩形状に加工されている。
【００２５】
２枚の長尺厚板石４１は左右に相互に平行に並べられ、長尺厚板石４１の後端の間には短尺厚板石４２が挟み込まれるように介設され、隣接する長尺厚板石４１と短尺厚板石４２の間、即ち長尺厚板石４１と短尺厚板石４２によって形成される仮想四角形の後端側二隅は上下に間隔をあけて設けられたＬ型金具８０とアンカーボルト８１によって連結され、これによって中台腰板４０Ａが構成され、中台腰板４０Ａの内部は納骨室７０を構成し、中台腰板４０Ａの長尺厚板石４２の前端の間は納骨口７１となっている。
【００２６】
この中台石４０の前方には大理石などの板状の芝石５０が設置され、芝板５０上には水鉢６０・花立６１が載せられ、水鉢６０・花立６１は納骨口７１及び通気口３２Ａを封鎖するようになっている。
【００２７】
ここで、厚板石には例えば１０ｃｍから２０ｃｍの範囲内の厚みの板石を適宜選択して用いるのがよい。また、Ｌ型金具８０は図６の（ａ）に示されるように、長溝８０Ａが形成され、アンカーボルト８１はボルト８１Ａ、スリット付きスリーブ８１Ｂ及びナット８１Ｃから構成され、ボルト８１Ａの下端部には拡径部が形成され、ボルト８１Ａの上端部にはピンテールが形成されている。
【００２８】
Ｌ型金具８０で隣接する厚板石を連結する場合、厚板石に穴を穿設してボルト８１Ａ及びスリーブ８１Ｂを差し込み、ボルト８１ＡをＬ型金具８０の長穴８０Ａに挿通してナット８１Ｃを螺合させ、次にナット８１Ｃを適当な工具で保持し、ボルト８１Ａのピンテールを工具で保持してボルト８１Ａを回転させると、ボルト８１Ａが引き上げられ、それに伴ってボルト８１Ａの拡径部も引き上げられてスリーブ８１Ｂを拡径し、スリーブ８１Ｂは厚板石の穴内面に強く押し付けられて固定される。ピンテールを回転させる力が所定の大きさになると、ピンテールが破断してボルト８１Ａを回転できなくなり、これによってＬ型金具８０が固定され、隣接する厚板石を連結することができる。
【００２９】
以上のように、上台石３０及び中台石４０を矩形状の長尺厚板石３１、４１と短尺厚板石３２、４２を矩形状に並べてＬ型金具８０とアンカーボルト８１によって連結して上台腰板３０Ａ及び中台腰板４０Ａを構成し、上台腰板３０Ａ及び中台腰板４０Ａの上面開口を蓋石３０Ｂ、４０Ｂで封鎖して上台石３０及び中台石４０を製作するようにしたので、墓石１０の構成品の中で大きい上台石３０及び中台石４０を大きく、模様の見栄えのよい大きな１枚岩を使用することなく製作でき、製作コストを大幅に軽減できる。
【００３０】
また、設置現場に厚板石を運んで現場で組立てればよく、大きくて重い上台石や中台石を現場に運んで設置する必要がないので、作業者の負担を少なくでき、これによっても製作の低コスト化を実現できる。
【００３１】
さらに、厚板石製の上台腰板３０Ａ及び中台腰板４０Ａの上面開口を蓋石３０Ｂ、４０Ｂで封鎖し、蓋石３０、４０の上に棹石２０や上台石３０を搭載するようにしたので、上台石３０及び中台石４０が中空構造であるにもかかわらず、十分な強度を確保することができ、墓石の信頼性を保証できる。
【００３２】
また、隣接する厚板石の間をＬ型金具８０とアンカーボルト８１によって連結するようにしたので、上台腰板３０Ａ及び中台腰板４０Ａは強固に製作され、地震などの揺れによって倒壊するおそれがなく、信頼性が高い。
【００３３】
さらに、中台石４０の前方に、水鉢６０・花立６１を載せる芝石５０を設置するようにしたので、大きな芝石を必要とせず、製作の低コスト化を実現できる。
【００３４】
図７は第２の実施形態を示し、本例では上台腰板３０Ａの前側短尺厚板石３２に通気口３２Ａを形成しないようにしている。
【００３５】
図８は第３の実施形態を示し、図において図１と同一符号は同一又は相当部分を示す。本例では上台石３０を中実の石材を用いて製作するようにしている。
【符号の説明】
【００３６】
１０      墓石
２０      棹石
３０      上台石
３０Ａ      上台腰板
３０Ｂ      上台蓋石
３１      長尺厚板石
３２      短尺厚板石
４０      中台石
４０Ａ      中台腰板
４０Ｂ      中台蓋石
４１      長尺厚板石
４２      短尺厚板石
５０      芝石
６０      水鉢
６１      花立
【図１】
0006639822.tif 000002
【図２】
0006639822.tif 000003
【図３】
0006639822.tif 000004
【図４】
0006639822.tif 000005
【図５】
0006639822.tif 000006
【図６】
0006639822.tif 000007
【図７】
0006639822.tif 000008
【図８】
0006639822.tif 000009